(57)【要約】【課題】印刷した写真の元になるデジタル写真データをその後に保存先を変更した場合でも容易且つ迅速に検索する。【解決手段】  デジタル写真管理システムは、デジタルカメラ１１、カメラ付き携帯電話１２、及びパソコン１３を有する。デジタルカメラ１１はデジタル写真データを転送する。携帯電話１２は、デジタル写真データに対してその拡張データとして情報メモを登録、追加、及び更新する。パソコン１３は、デジタル写真データの基本データ及びそのフラグからバーコードを作成保存し、写真画像１５０と共にバーコード１５２及び情報メモ１５１を写真１５として印刷する。携帯電話１２は、バーコード１５２を撮像する。パソコン１３は、撮像されたバーコードからフラグ及び基本データを解読し、フラグが存在する場合、基本データを検索キーとして写真１５の元になるデジタル写真データを検索する。【選択図】  図１
2006079333.tif 000002
【特許請求の範囲】
【請求項１】
デジタル写真画像を登録、保存、および検索するデジタル写真管理システムであって、
デジタル写真画像を撮像する撮像装置と、
前記撮像装置に接続可能な携帯端末と、
前記撮像装置及び前記携帯端末にそれぞれ接続可能な情報処理装置とを備え、
前記撮像装置は、前記デジタル写真画像及びその属性を示す基本データを含むデジタル写真データを転送する転送手段を有し、
前記携帯端末は、前記撮像装置から転送されてくるデジタル写真データに対してその拡張データとして文字情報を登録、追加、及び更新する処理手段を有し、
前記情報処理装置は、
前記撮像装置から転送されてくるデジタル写真データの基本データ及び予め設定されたデジタル写真データ用フラグからバーコードを作成するバーコード作成手段と、
作成されたバーコードを前記デジタル写真画像に貼り付けて保存するデータ保存手段と、
前記デジタル写真画像と共に前記バーコード及び前記文字情報を写真として印刷する印刷処理手段とを有することを特徴とするデジタル写真管理システム。
【請求項２】
前記携帯端末は、前記写真に印刷されたバーコードを撮像する撮像手段をさらに有し、
前記情報処理装置は、
前記携帯端末から転送されてくる前記バーコードから前記デジタル写真データ用フラグ及び前記基本データを解読する処理手段と、
前記デジタル写真データ用フラグが存在する場合、前記基本データを検索キーとして前記写真の元になるデジタル写真データを検索するデータ検索手段とをさらに有することを特徴とする請求項１記載のデジタル写真管理システム。
【請求項３】
前記デジタル写真の基本データは、ファイルの種類、ファイル名、日付、時刻、及びデータ容量を含むことを特徴とする請求項１又は２記載のデジタル写真管理システム。
【請求項４】
デジタル写真画像を撮像する撮像装置及び携帯端末にそれぞれ接続可能な情報処理装置であって、
前記撮像装置から転送されてくるデジタル写真データの基本データ及び予め設定されたデジタル写真データ用フラグからバーコードを作成するバーコード作成手段と、
作成されたバーコードを前記デジタル写真画像に貼り付けて保存するデータ保存手段と、
前記デジタル写真画像と共に前記バーコード及び前記文字情報を写真として印刷する印刷処理手段と、
前記写真のバーコードから前記デジタル写真データ用フラグ及び前記基本データを解読する処理手段と、
前記デジタル写真データ用フラグが存在する場合、前記基本データを検索キーとして前記写真の元になるデジタル写真データを検索するデータ検索手段とを有することを特徴とする情報処理装置。
【請求項５】
デジタル写真画像を撮像する撮像装置及び情報処理装置にそれぞれ接続可能な携帯端末であって、
前記撮像装置から転送されてくるデジタル写真データに対してその拡張データとして文字情報を登録、追加、及び更新する処理手段と、
前記文字情報が付加された前記デジタル写真データを前記撮像装置に戻す通信手段と、
写真に印刷されたバーコードを撮像する撮像手段と、
前記バーコードを前記情報処理装置に転送する手段とを有することを特徴とする携帯端末。
【請求項６】
デジタル写真画像を撮像する撮像装置と、前記撮像装置に接続可能な携帯端末と、前記撮像装置及び前記携帯端末にそれぞれ接続可能な情報処理装置とを備え、前記デジタル写真画像を登録、保存、および検索するデジタル写真管理システムで用いる方法であって、
前記撮像装置が、前記デジタル写真画像及びその属性を示す基本データを含むデジタル写真データを転送するステップと、
前記携帯端末が、前記撮像装置から転送されてくるデジタル写真データに対してその拡張データとして文字情報を登録、追加、及び更新するステップと、
前記情報処理装置が、
前記撮像装置から転送されてくるデジタル写真データの基本データ及び予め設定されたデジタル写真データ用フラグからバーコードを作成するステップ、
作成されたバーコードを前記デジタル写真画像に貼り付けて保存するステップ、及び
前記デジタル写真画像と共に前記バーコード及び前記文字情報を写真として印刷するステップとを有することを特徴とするデジタル写真管理方法。
【請求項７】
前記携帯端末が、前記写真に印刷されたバーコードを撮像するステップと、
前記情報処理装置が、
前記携帯端末から転送されてくる前記バーコードから前記デジタル写真データ用フラグ及び前記基本データを解読するステップ、及び
前記デジタル写真データ用フラグが存在する場合、前記基本データを検索キーとして前記写真の元になるデジタル写真データを検索するステップとをさらに有することを特徴とする請求項６記載のデジタル写真管理方法。
【請求項８】
前記デジタル写真の基本データは、ファイルの種類、ファイル名、日付、時刻、及びデータ容量を含むことを特徴とする請求項６又は７記載のデジタル写真管理方法。
【発明の詳細な説明】
【技術分野】
【０００１】
本発明は、デジタル写真管理システム、情報処理装置、携帯端末、及びデジタル写真管理方法にかかり、とくにデジタル写真データを登録、保存および検索するシステム及び方法に関する。
【背景技術】
【０００２】
写真をアルバムに差し込んで整理する場合、撮影の際の現場の状況やその時の気持ち等のコメントをアルバムの写真の下にメモ紙等を利用して書き留めておくことがある。この場合、写真を現像したりしていくうちに撮影から時間が経ち、その時の状況や気持ちを忘れてしまうこともあった。
【０００３】
その対策として、デジタルカメラを利用し、写真を撮った直後にデジタルカメラに保存されているデジタル写真データを編集して保存し直す方法も考えられる。この場合、デジタルカメラは、使い勝手が良い分、通常はかなりの枚数を撮影しているため、その容量は増える一方であり、始めに写真をうまく整理をしていないと、どこに元のデジタル写真データを保存していたか分からなくなり、検索に時間がかかることもある。例えば、お気に入りの写真は、印刷してアルバムに差し込み、その後に年賀状やメールなどで再利用する場合が多いが、こういった場合にその元のデジタル写真データの検索に時間がかかっていた。
【０００４】
その対策として、デジタル写真データをどの保存先（フォルダ又はディレクトリ）に保存したか、その保存先を明記しておく方法も考えられるが、これでは、保存先を変更したときには有効でなくなる。別の対策として、保存時に写真の下にデータの保存情報を書くことも考えられるが、これも面倒な作業となっていた。
【０００５】
なお、本発明に関連する先行技術文献には、以下のものがある。
【特許文献１】特開２００１−０８４２６６号公報
【特許文献２】特開２００１−３２６８０２号公報
【特許文献３】特開２００３−０４６９３４号公報
【発明の開示】
【発明が解決しようとする課題】
【０００６】
従来は、撮影時の写真データは、保存時にパソコンでファイル名を新しく変更して保存する場合が多い。その場合、撮影後に時間が経過すると、そのファイル名を思い出せないこともあった。また、プリントアウト後にアルバムの写真に撮影時の状況などをメモするときには手作業で添付する必要があった。さらに、その後で写真データの検索が必要な際には、写真に添付していたメモ紙や保存時の場所を思い出しながら保存先を探すため、非常に困難であった。また、保存先をメモしていても、その後に何らかの要因で保存先を変更した場合には、せっかくメモしていても意味が無くなっていた。なお、特許文献１乃至３で開示されている技術は、こういった問題をとくに意識してなされたものではない。
【０００７】
本発明は、このような従来の事情を考慮してなされたもので、印刷した写真の元になるデジタル写真データをその後に保存先を変更した場合でも容易且つ迅速に検索できるデジタル写真管理システム及び方法を提供することを目的とする。
【課題を解決するための手段】
【０００８】
上記目的を達成するため、本発明は、写真の情報をバーコード化して保存し、写真にバーコードを印刷し、必要なときにバーコードを読み取り検索する方法に着目し、このような着想の元に完成されたものである。
【０００９】
即ち、本発明に係るデジタル写真管理システムは、デジタル写真画像を登録、保存、および検索するデジタル写真管理システムであって、デジタル写真画像を撮像する撮像装置と、前記撮像装置に接続可能な携帯端末と、前記撮像装置及び前記携帯端末にそれぞれ接続可能な情報処理装置とを備え、前記撮像装置は、前記デジタル写真画像及びその属性を示す基本データを含むデジタル写真データを転送する転送手段を有し、前記携帯端末は、前記撮像装置から転送されてくるデジタル写真データに対してその拡張データとして文字情報を登録、追加、及び更新する処理手段を有し、前記情報処理装置は、前記撮像装置から転送されてくるデジタル写真データの基本データ及び予め設定されたデジタル写真データ用フラグからバーコードを作成するバーコード作成手段と、作成されたバーコードを前記デジタル写真画像に貼り付けて保存するデータ保存手段と、前記デジタル写真画像と共に前記バーコード及び前記文字情報を写真として印刷する印刷処理手段とを有することを特徴とするデジタル写真管理システム。
【００１０】
本発明に係るデジタル写真管理システムにおいて、前記携帯端末は、前記写真に印刷されたバーコードを撮像する撮像手段をさらに有し、前記情報処理装置は、前記携帯端末から転送されてくる前記バーコードから前記デジタル写真データ用フラグ及び前記基本データを解読する処理手段と、前記デジタル写真データ用フラグが存在する場合、前記基本データを検索キーとして前記写真の元になるデジタル写真データを検索するデータ検索手段とをさらに有してもよい。前記デジタル写真の基本データは、ファイルの種類、ファイル名、日付、時刻、及びデータ容量を含んでもよい。
【００１１】
本発明に係る情報処理装置は、デジタル写真画像を撮像する撮像装置及び携帯端末にそれぞれ接続可能な情報処理装置であって、前記撮像装置から転送されてくるデジタル写真データの基本データ及び予め設定されたデジタル写真データ用フラグからバーコードを作成するバーコード作成手段と、作成されたバーコードを前記デジタル写真画像に貼り付けて保存するデータ保存手段と、前記デジタル写真画像と共に前記バーコード及び前記文字情報を写真として印刷する印刷処理手段と、前記写真のバーコードから前記デジタル写真データ用フラグ及び前記基本データを解読する処理手段と、前記デジタル写真データ用フラグが存在する場合、前記基本データを検索キーとして前記写真の元になるデジタル写真データを検索するデータ検索手段とを有することを特徴とする。
【００１２】
本発明に係る携帯端末は、デジタル写真画像を撮像する撮像装置及び情報処理装置にそれぞれ接続可能な携帯端末であって、前記撮像装置から転送されてくるデジタル写真データに対してその拡張データとして文字情報を登録、追加、及び更新する処理手段と、前記文字情報が付加された前記デジタル写真データを前記撮像装置に戻す通信手段と、写真に印刷されたバーコードを撮像する撮像手段と、前記バーコードを前記情報処理装置に転送する手段とを有することを特徴とする携帯端末。
【００１３】
本発明に係るデジタル写真管理方法は、デジタル写真画像を撮像する撮像装置と、前記撮像装置に接続可能な携帯端末と、前記撮像装置及び前記携帯端末にそれぞれ接続可能な情報処理装置とを備え、前記デジタル写真画像を登録、保存、および検索するデジタル写真管理システムで用いる方法であって、前記撮像装置が、前記デジタル写真画像及びその属性を示す基本データを含むデジタル写真データを転送するステップと、前記携帯端末が、前記撮像装置から転送されてくるデジタル写真データに対してその拡張データとして文字情報を登録、追加、及び更新するステップと、前記情報処理装置が、前記撮像装置から転送されてくるデジタル写真データの基本データ及び予め設定されたデジタル写真データ用フラグからバーコードを作成するステップ、作成されたバーコードを前記デジタル写真画像に貼り付けて保存するステップ、及び前記デジタル写真画像と共に前記バーコード及び前記文字情報を写真として印刷するステップとを有することを特徴とする。
【００１４】
本発明に係るデジタル写真管理方法において、前記携帯端末が、前記写真に印刷されたバーコードを撮像するステップと、前記情報処理装置が、前記携帯端末から転送されてくる前記バーコードから前記デジタル写真データ用フラグ及び前記基本データを解読するステップ、及び前記デジタル写真データ用フラグが存在する場合、前記基本データを検索キーとして前記写真の元になるデジタル写真データを検索するステップとをさらに有してもよい。前記デジタル写真の基本データは、ファイルの種類、ファイル名、日付、時刻、及びデータ容量を含んでもよい。
【発明の効果】
【００１５】
本発明によれば、印刷した写真の元データをその後に保存先を変更した場合でも容易に検索できる。とくに、デジタルカメラで撮影したデジタル写真データに撮影時の状況を携帯端末を利用して登録し、デジタル写真データに日付、時刻、容量などの属性を示す基本データをバーコード化して保存し、デジタル写真データの印刷時にバーコードも一緒に印刷することにより、写真の元データが必要なときに印刷されたバーコードを利用して検索をスムーズに行うことが可能になる。
【発明を実施するための最良の形態】
【００１６】
次に、本発明に係るデジタル写真管理システム及び方法を実施するための最良の形態について図面を参照して詳細に説明する。
【００１７】
図１に示す本実施形態のデジタル写真管理システムは、被写体１０の写真撮影を行う撮像装置としてのデジタルカメラ１１と、携帯端末としてのカメラ付き携帯電話機（以下、単に「携帯電話」と呼ぶ）１２と、情報処理装置としてのパソコン（ＰＣ：パーソナルコンピュータ）１３と、パソコン１３に接続される写真印刷可能な印刷装置としてのプリンタ１４とから構成される。プリンタ１４から出力される写真１５には、被写体１０の写真画像１５０に加え、後述するように携帯電話１２で入力された情報メモ１５１及びパソコン１３で作成されたバーコード１５２も同時に印刷可能となっている。
【００１８】
デジタルカメラ１１は、既知の撮像機能のほか、本実施形態では、携帯電話１２及びパソコン１３に通信可能に接続してデジタル写真データやこれに関する各種制御信号等の情報をやり取りする通信機能を有している。
【００１９】
具体的には、このデジタルカメラ１１は、図２に示すように、機能上、撮像部（ＣＣＤ又はＣＭＯＳ型固体撮像素子、その駆動回路、及び信号処理回路等）１１０、表示部（液晶ディスプレイ等）１１１、操作部（各種操作キー、ボタン、スイッチ等）１１２、デジタル写真データを格納するデータ格納部（メモリ等）１１３、外部機器（携帯電話１２及びパソコン１３）との間で有線（例えばＵＳＢ接続等）又は無線（例えば無線ＬＡＮ等）でデータのやり取りが可能な通信インターフェース１１５、これら各部の全体動作を制御する制御部１１６、及び図示しない電源部等の既知構成からなる。制御部１１６は、プログラム制御で動作するＣＰＵ１１６ａ及びその制御プログラム１１６ｃを格納するメモリ１１６ｂを有している。制御プログラム１１６ｃとしては、通常のデジタルカメラ１１に搭載される各種プログラムのほか、本実施形態では後述の全体動作を制御するものを含む。
【００２０】
携帯電話１２は、第三者との通話機能、メール機能、インターネット接続機能、カメラ撮影機能等の既知機能のほか、本実施形態では、デジタルカメラ１１から転送されてくるデジタル写真データに情報を入力するための文字入力機能や、プリンタ１４から印刷された写真１５中のバーコード１５２に対するバーコード撮影及びその読み取り機能、デジタルカメラ１１及びパソコン１３との間の通信機能を有する。
【００２１】
具体的には、この携帯電話１２は、図３に示すように、機能上、通信アンテナ１２０ａを有する無線通信部１２０（送受信回路、ベースバンド処理回路等）、表示部（液晶ディスプレイ等）１２２、音声入出力部（マイクロフォン及びスピーカ）１２３、音声処理部（音声コーデック回路等）１２４、撮像部１２５（ＣＣＤ又はＣＭＯＳ型固体撮像素子、その駆動回路、及び信号処理回路等）、操作部（操作キー、ボタン、スイッチ等）１２６、外部機器（デジタルカメラ１３及びパソコン１３）との間で有線（例えばＵＳＢ接続等）又は無線（例えば無線ＬＡＮ等）でデータのやり取りが可能な通信インターフェース１２７、これら各部の全体動作を制御する制御部１２８、図示しない表示部（液晶ディスプレイ等）、キーボード／マウス等の入力器、電源部等の既知構成からなる。制御部１２８は、プログラム制御で動作するＣＰＵ１２８ａ及びその制御プログラム１２８ｃを格納するメモリ１２８ｂを有している。制御プログラム１２８ｃとしては、通常のカメラ付き携帯電話の機能を実現させるための各種プログラムのほか、本実施形態では後述の全体動作を制御するプログラムを搭載している。
【００２２】
パソコン１３は、図４に示すように、機能上、データ入出力部１３０、バーコード作成部１３１、データ格納部１３２、印刷処理部１３３、バーコード解凍部１３４、及びデータ検索部１３５、これら各部の全体動作を制御する制御部１３６を有する。制御部１３６は、プログラム制御で動作するＣＰＵ１３６ａ及びその制御プログラム１３６ｃを格納するメモリ１３６ｂを有している。制御プログラム１３６ｃには、通常のパソコン１３に搭載されるＯＳ及びそのＯＳ上で動作する各種アプリケーションプログラムのほか、本実施形態では後述の全体動作を制御するプログラムを有している。
【００２３】
データ入出力部１３０は、例えば有線（例えばＵＳＢ接続等）又は無線（例えば無線ＬＡＮ等）の通信インターフェースを備え、制御部１３６から与えられる制御指令に応じて、外部機器であるデジタルカメラ１１、カメラ付携帯電話１２、及びプリンタ１４と接続して相互に通信する機能を有する。
【００２４】
バーコード作成部１３１は、バーコード作成プログラム１３１ａを備え、制御部１３６から与えられる制御指令に応じてバーコード作成プログラム１３１ａを起動させることにより、デジタル写真データのファイル情報（属性情報）を示す基本データ及びデジタル写真データを示すフラグ（後述参照）をバーコード（バーコードイメージ）化し、そのバーコードをデジタル写真データに挿入する機能を有する。
【００２５】
データ格納部１３２は、デジタル写真データ１３２ａを格納するデータベース部であり、磁気ディスク、ＣＤ、ＤＶＤ等の記憶装置（ディスク駆動装置）又はメディア（記録媒体）から構成される。このデータ格納部１３２は、デジタル写真データの検索が可能な記憶装置又はメディアであれば、どのようなものでも使用可能である。この場合、デジタル写真データ１３２ａは、データ格納部１３２の内部であればどこに保存しても構わない。
【００２６】
印刷処理部１３３は、制御部１３６から与えられる制御指令に応じて、使用者による入力器（図示しないキーボード、マウス等）の操作で指示されたデジタル写真データをプリンタ１４へ印刷する機能を有する。
【００２７】
バーコード解凍部１３４は、バーコード解凍プログラム１３４ａを備え、制御部１３６から与えられる制御指令に応じてバーコード解凍プログラム１３４ａを起動させることにより、携帯電話１２で撮影したバーコードを解凍し、解凍されたバーコードデータが検索対象のバーコード１５２のものか否かをデジタル写真データのフラグ（後述参照）の有無状況に基づいて確認し、そのデジタル写真データのフラグが存在して検索対象のバーコード１５２であることが確認されると、そのバーコードデータから、データ検索部１３５で検索対象となる画像ファイルのキーワード（検索キー）を復元してそのキーワードをデータ検索部１３５へ渡す機能（後述参照）を有する。
【００２８】
データ検索部１３５は、ファイル検索プログラム１３５ａを備え、制御部１３６から与えられる制御指令に応じてファイル検索プログラム１３５ａを起動させることにより、バーコード解凍部１３４で解凍されたバーコードデータからなるキーワードに基づいて、データ格納部１３２に保存されているデジタル写真データを検索する機能を有する。
【００２９】
なお、バーコード作成部１３１、バーコード解凍部１３４、及びデータ検索部１３５はあくまで機能上の各部を指すものであり、物理的には、バーコード作成プログラム１３１ａ、バーコード解凍プログラム１３４ａ、ファイル検索プログラム１３５ａを格納したメモリ等の記録媒体及びこれらプログラム１３１ａ、１３４ａ、１３５ｂを実行するプロセッサ（ＣＰＵ）からなる。これら各部１３１、１３４、１３５は、制御部１３６のＣＰＵ１３６ａ及びメモリ１３６ｂを兼用して一体に構成されてもよい。
【００３０】
プリンタ１４は、パソコン１３の印刷処理部１３３による印刷指令に応じて、写真１５の印刷時にバーコード１５２の印刷が可能な装置である。
【００３１】
プリンタ１４から出力される写真１５には、図５に示すように、デジタル写真データの写真画像１５０と、デジタル写真データの拡張データを構成する情報メモ１５１と、デジタル写真データを識別するフラグ及びその基本データ（ファイル情報又は属性情報）から作成されるバーコードデータから成るバーコード１５２とが含まれる。バーコード１５２には、例えば所定規格の二次元コード（ＱＲコード、ＭＳコード等）が好適に使用される。
【００３２】
図６（ａ）は、バーコード１５２を構成するバーコードデータの構成例、図６（ｂ）はデジタル写真データの拡張データを構成する情報メモ１５１の構成例をそれぞれ示す。
【００３３】
図６（ａ）に示すバーコードデータにおいて、デジタル写真データのフラグは、バーコードデータが検索用データであるか否かを認識をするためのフラグである。例えば、先頭データに「９９９９」等を配置したものを例示できる。後述するパソコン１３の処理動作において、このフラグが存在すれば、バーコード解凍プログラム１３４ａの動作によりバーコード１５２の情報を解凍して検索に必要な基本データを復元してその基本データをキーワードとしてファイル検索プログラム１３５ａを動作させる一方、フラグが存在しない場合は、いわゆる無関係のバーコードと判断してファイル検索プログラム１３５ｂを起動させないようになっている。
【００３４】
また、デジタル写真データの基本データは、デジタルカメラで撮影した際に、デジタルカメラで作成されるファイルの詳細データであり、本実施形態では、「ファイルの種類（例：ＪＰＥＧイメージ）」、「ファイル名（例：ＡＢＣＤ）」、「撮影日（例：２００４年５月２６日）」、「撮影時間（例：１３時１５分）」、「データ容量（例：１２３４Ｋバイト）」を例示できる。
【００３５】
情報メモ１５１は、図６（ｂ）に示すように、携帯電話１２から入力可能な文字情報（例えば、「２００４年５月運動会（晴れてよかった）よ〜いどん、がんばれ〜」）であり、この文字情報はデジタル写真データの拡張データとして追加及び更新可能に登録できるようになっている。
【００３６】
次に、図面を参照して、本実施形態によるデジタル写真管理システムの全体動作を説明する。以下の記述では、運動会で撮影した場合を説明する。
【００３７】
最初に、図７に示す写真撮影時のフローチャートを用いて撮影時の情報入力方法を説明する。ここでは、デジタルカメラ１１と携帯電話１２とでそれぞれ処理が行われる。図６に示すデジタルカメラ１１側の処理は、制御部１１６によるプログラム制御（ＣＰＵ１１６ａの制御プログラム１１６ｃ実行）で、またカメラ付き携帯電話１２側の処理は、制御部１２８によるプログラム制御（ＣＰＵ１２８ａの制御プログラム１２８ｃ実行）でそれぞれ行われる。
【００３８】
まず、デジタルカメラ１１側では、使用者の操作により運動会で被写体１０の撮影が行われると、制御部１１６による制御の元で、撮像部１１０にて得られた固体撮像素子の各画素信号に基づき写真画像及びその基本データ（ファイルの種類、ファイル名、撮影日、撮影時間、データ容量）を含むデジタル写真データを作成し、データ格納部１１３に保存する（Ｓｔ１１）。
【００３９】
次いで、携帯電話１２側で、使用者による操作部１２２からの指示信号（予め設定された表示部１２２の画面上における表示項目の選択や操作キーの選択等）により、表示部１２２の画面上に、図８に示す写真撮影時のカメラ付携帯電話接続画面イメージＷ１を表示する（ステップＳｔ２１）。この画面イメージＷ１上には、図示のように、例えば「デジタルカメラに接続」等の接続を促す内容の表示メッセージＡ１１のほか、「はい」ボタンＡ１２、及び「いいえ」ボタンＡ１３がそれぞれ所定領域に設定されている。
【００４０】
次いで、デジタルカメラ１１と携帯電話１２をそれぞれの通信インターフェース１１５、１２７を介して接続ケーブル（有線の場合）にて繋ぎ、デジタル写真データを携帯電話１２へ送るための準備が行われ、携帯電話１２側で接続画面イメージＷ１上の「はい」ボタンＡ１２が選択されると、デジタルカメラ１１と携帯電話１２とを通信可能に接続する（ステップＳｔ１２、Ｓｔ２２）。接続後、デジタルカメラ１１側のデータ格納部１１３のデジタル写真データを転送インターフェース１１５を介してカメラ付き携帯電話１２側に転送する（ステップＳｔ１３、図１及び図７の点線矢印Ｆ１参照）。
【００４１】
次いで、携帯電話１２側では、転送インターフェース１２７を介してデジタル写真画像を受信すると（ステップＳｔ２３）、表示部１２２の画面上に、図９に示す情報メモ登録画面イメージＷ２を表示する（ステップＳｔ２４）。この画面イメージＷ２上には、図示のように、デジタルカメラ１１から転送されたデジタル写真データの写真画像を表示する表示領域Ａ２１、情報メモを入力する入力領域Ａ２２、前画像選択（矢印「←」）ボタンＡ２３、次画像選択（矢印「→」）ボタンＡ２４、「登録」ボタンＡ２５がそれぞれ設定されている。
【００４２】
この情報メモ登録画面イメージＷ２上では、表示領域Ａ２１に表示されるデジタル写真データの写真画像を確認しながら、矢印「←」及び「→」ボタンＡ２３、Ａ２４を操作することにより、必要な写真画像が選択される（ステップＳｔ２５）。次いで、選択された写真画像に対する情報メモが操作部１２６のキー操作にて入力され、入力後に「登録」ボタンＡ２５を選択することにより、デジタル写真データの拡張データとして追加登録し（ステップＳｔ２８）、情報メモが追加されたデジタル写真データを通信インターフェース１２７を介してデジタルカメラ１１側に転送する（ステップＳｔ２７、図１及び図７の点線矢印Ｆ２参照）。これにより、デジタルカメラ１１側では、携帯電話１２からの情報メモが追加されたデジタル写真データを通信インターフェース１１５を介して受信して、データ格納部１１３に保存する（ステップＳｔ１４）。
【００４３】
次に、図１０に示すデータ保存時のフローチャートを用いてパソコン１３への保存方法を説明する。ここでは、デジタルカメラ１１とパソコン１３とでそれぞれ処理が行われる。図１０に示すデジタルカメラ１１側の処理は、制御部１１６によるプログラム制御（ＣＰＵ１１６ａの制御プログラム１１６ｃ実行）で、またパソコン１３側の処理は、制御部１３６によるプログラム制御（ＣＰＵ１３６ａの制御プログラム１３６ｃ実行）でそれぞれ行われる。
【００４４】
まず、デジタルカメラ１１とパソコン１３とを通信インターフェース１１５とデータ入出力部１３０を介して通信可能に接続する（ステップＳｔ３１、Ｓｔ４１）。接続後、パソコン１３側では、バーコード作成部１３１のバーコード作成プログラム１３１ａを起動し（ステップＳｔ４２）、このプログラム１３１ａを実行することにより、以下の処理を行う。
【００４５】
即ち、パソコン１３側では、表示部（図示しない）の画面上に、図１１に示すデータ保存時のバーコード作成プログラム起動画面イメージＷ３を表示する（ステップＳｔ４３）。この画面イメージ上Ｗ３には、図示のように、タイトルＡ３１（例：「バーコード作成プログラム起動」）、保存先フォルダ指定領域Ａ３２、「参照ボタン」Ａ３３、「保存開始」ボタンＡ３４がそれぞれ所定領域に設定されている。
【００４６】
この起動画面イメージＷ３において、保存先フォルダ指定領域Ａ３２に保存先を直接入力する、もしくは「参照」ボタンＡ３３を用いて保存をしようと思っているドライブから保存先を確認しながらディレクトリ（フォルダ）を選択することにより、パソコン１３側のデータ格納部１３２内の保存先を決定し（ステップＳｔ４４）、引き続き「保存開始」ボタンＡ３４を用いて保存開始を行う（ステップＳｔ４５）。
【００４７】
これにより、デジタルカメラ１１側では、データ格納部１１３のデジタル写真データを通信インターフェース１１５を介してパソコン１３に転送する（ステップＳｔ３２、図１及び図１０の点線矢印Ｆ３参照）。パソコン１３側では、デジタルカメラ１１からのデジタル写真データをデータ入出力部１３０を介して受信し（ステップＳｔ４６）、受信されたデジタル写真データのフラグ（例えば「９９９９」）と基本データ（ファイルの種類、ファイル名、撮影日、撮影時間、データ容量）から所定規格（例えばＱＲコード等の二次元コード）のバーコード（バーコードイメージ）を作成し（ステップＳｔ４７）、作成されたバーコードをデジタル写真データの写真画像に貼り付けて、予め設定された画像合成等の画像処理アルゴリズムに従い、上記で決定されたデータ格納部１３２の保存先に保存する（ステップＳｔ４８）。ここで、写真画像とバーコードとの貼り付け処理は、予め設定された所定の画像処理アルゴリズムに基づくプログラムに従い行われる。
【００４８】
その後、必要に応じて、パソコン１３とプリンタ１４を接続して、印刷処理部１３３の動作にてデータ格納部１３２内の保存先に保存されたデジタル写真データ１３２ａをデータ入出力部１３０を介してプリンタ１４に送り（図１の点線矢印Ｆ４参照）、プリンタ１４にてデジタル写真データ１３２ａの写真１５を印刷させる（ステップＳｔ４９、図１の点線矢印Ｆ５参照）。これにより印刷された写真１５には、図示のように、被写体１０の写真画像１５０のほか、情報メモ１５１とバーコード１５２とが所定領域に付加されている。
【００４９】
次に、図１２に示すデータ検索時のフローチャートを用いてデータ保存場所の検索方法を説明する。ここでは、携帯電話１２とパソコン１３とでそれぞれ処理が行われる。図６に示す携帯電話１２側の処理は、制御部１２８によるプログラム制御（ＣＰＵ１２８ａの制御プログラム１２８ｃ実行）で、またパソコン１３側の処理は、制御部１３６によるプログラム制御（ＣＰＵ１３６ａの制御プログラム１３６ｃ実行）でそれぞれ行われる。
【００５０】
まず、携帯電話１２側で、撮像部１２５の動作にて、写真１５のバーコード１５２に対するバーコード撮影を行い、得られたバーコード画像データをメモリ等のデータ格納部（図示しない）に保存する（ステップＳｔ５１）。その後で、携帯電話１２とパソコン１３とを通信インターフェース１２７及びデータ入出力部１３０を介して通信可能に接続する（ステップＳｔ５２、Ｓｔ６１）。
【００５１】
次いで、パソコン１３側では、バーコード解凍部１３４のデータ検索時のバーコード解凍プログラム１３４ａを起動し、表示部（図示しない）の画面上に、図１３に示すデータ検索時の起動画面イメージＷ４を表示する（ステップＳｔ６４）。この画面イメージＷ４には、図示のように、「バーコードを貼り付けてください」旨の内容を示す表示メッセージＡ４１、バーコードイメージを表示する表示領域Ａ４２、「検索開始」ボタンＡ４３がそれぞれ所定領域に設定されている。
【００５２】
次いで、携帯電話１２では、撮影されたバーコード画像データを通信インターフェース１２７を介してパソコン１３側に転送する（ステップＳｔ５３、図１及び図１２の点線矢印Ｆ６参照）。パソコン１３側では、携帯電話１２からのバーコード画像データをデータ入出力部１３０を介して取り込み（ステップＳｔ６５）、そのバーコードイメージを起動画面イメージＷ４の表示領域Ａ４２に表示させることにより情報を読み取るための準備を完了する。
【００５３】
次いで、携帯電話１２では、バーコードイメージからバーコードデータへ解凍し（ステップＳｔ６６）、そのバーコードデータのフラグ（例えば、先頭データに「９９９９」）が存在するか否かを判断し、ＹＥＳ（フラグが存在する）の場合は、以下の次処理（ステップＳｔ６７〜Ｓｔ７１）に移行し、ＮＯ（フラグが存在しない）の場合は、処理を終了する。
【００５４】
上記処理にてバーコードデータのフラグが確認された場合、携帯電話１２では、データ検索部１３５のファイル検索プログラム１３５ａを起動させ（ステップＳｔ６７）、表示部（図示しない）の画面上に、図１４に示す検索画面イメージＷ５を表示する（ステップＳｔ６８）。この画面イメージＷ５には、「ファイルの種類」表示領域Ａ５１、「ファイル名」表示領域Ａ５２、「データ容量」表示領域Ａ５３、「日付」表示領域Ａ５４、「時刻」表示領域Ａ５５、及び「探す場所」表示領域Ａ５６がそれぞれ所定領域に設定されている。この検索画面イメージＷ５の各表示領域Ａ５１〜Ａ５５には、上記処理にて解凍されたバーコードデータの基本データが表示される。
【００５５】
次いで、パソコン１３側では、この基本データをファイル検索プログラム１３５ａの検索フィールドに入力し、即ちこの基本データをキーとして検索を実行し（ステップＳｔ６９）、その検索結果を、表示部（図示しない）の画面上に、図１５に示すデータ検索時の検索結果画面イメージＷ６として表示する（ステップＳｔ７０）。この画面イメージＷ６には、「ファイル名」表示領域Ａ６１、「フォルダ名」表示領域Ａ６２、及びメッセージ表示領域Ａ６３（例：「１個のファイルがみつかりました。」）がそれぞれ所定領域に設定されている。このように画面イメージＷ６上に、検索されたデジタル画像データのファイル名及びその保存先フォルダ名が表示され、これによりパソコン１３側のデータ格納部１３２内のファイル保存先が判明する。次いで、検索されたデジタル画像データのファイル名を図示しない入力部（マウス等）を用いてクリック操作することにより、その写真画像を表示部（図示しない）の画面上に表示し（ステップＳｔ７１）、これにより検索対象の写真と間違いないかを確認して処理を終了する。
【００５６】
以上の本実施形態のデジタル写真管理システムによる写真撮影時、データ保存時、及びデータ検索時の各処理をまとめると、次のようになる。
【００５７】
まず、写真撮影時には、デジタルカメラ１１による写真撮影後に携帯電話１２を利用して情報メモ１５１を入力する。この処理では、デジタルカメラ１１と携帯電話１２を接続しデジタルカメラ１１から携帯電話１２の表示部（ディスプレイ）１２２にデジタル画像データを表示させて、情報メモを入力したいデジタル写真データを選択して文字入力をし、デジタルカメラ１１にあるデジタル画像データに情報を追加後、再度デジタルカメラ１１に保存する。
【００５８】
次いで、データ保存時には、デジタル写真データにバーコードを添付する。この処理では、使用者はデジタルカメラ１１で撮影したデジタル写真データをパソコン１３へ保存する際に、バーコード作成プログラム１３１ａを起動することにより、それ以降にパソコン１３へ保存されるデジタル写真データに自動的にひとつひとつのファイル単位に、バーコードを作成し添付する。このバーコード作成プログラム１３１ａは、撮影時にデジタルカメラ１１で作成されデジタル写真データ自身のファイル情報からなるファイルの種類、ファイル名、日付、時刻、データ容量、及びこのバーコードがデジタル写真データの検索対象か否かを確認するための予め設定されたフラグをバーコードとして作成する。
【００５９】
次いで、データ検索時には、プリントアウトした写真１５の元になるデジタル写真データを検索する。この処理では、使用者はバーコード解凍プログラム１３４ａを起動し、携帯電話１２でデジタル写真に印刷されたバーコードを撮影し、パソコン１３に送信する。バーコード化された情報はバーコード解凍プログラム１３４ａで解凍され、解凍された情報、即ちファイルの種類、ファイル名、日付、時刻、データ容量が、ファイル検索プログラム１３５ａにより検索フィールドに自動で入力され検索される。
【００６０】
従って、本実施形態によれば、デジタルカメラ１１で撮影したデジタル写真データに撮影時の状況をカメラ付き携帯電話１２を利用して登録し、デジタル写真データに日付、時刻、容量などのデータ固有のファイル情報（属性情報）をバーコード化して保存し、デジタル写真データの印刷時にバーコードも一緒に印刷することにより写真の元データが必要なときに印刷されたバーコードを利用して検索をスムーズに行える。
【００６１】
これによれば、１）印刷された写真から元のデジタル写真データを検索する方法を自動化ができ、２）写真を写した時点での情報入力でメモ情報の物忘れ防止ができ、３）保存先を意識せずに保存でき、４）写真印刷時に同時にメモ情報もプリントアウトでき、５）検索が容易になるため場所を考えず元のデジタル写真データを保存できる等の利点が得られる。
【００６２】
なお、上記実施形態の応用例として、デジタルカメラで撮像したデジタル写真データの代わりに、スキャナーやインターネットなどで入手した写真データにも応用できる。さらに別の例として、写真の保管に留まらず、文書の保管にも有効である。
【００６３】
なお、上記実施形態では、パソコン側でバーコードを解凍している例を説明したが、本発明はこれに限らず、携帯電話側でバーコード撮影後にそのバーコードを解凍してそのデータのみをパソコンに転送するように構成してもよい。
【図面の簡単な説明】
【００６４】
【図１】本発明の実施形態に係るデジタル写真管理システムの全体構成図である。
【図２】図１に示すデジタルカメラの構成図である。
【図３】図１に示すカメラ付き携帯電話の構成図である。
【図４】図１に示すパソコンの構成図である。
【図５】デジタル写真データの写真の一例を説明する図である。
【図６】（ａ）はバーコードデータとなるデジタル写真データの基本データ及びフラグを説明する図、（ｂ）はデジタル写真データに付加される拡張データとなる情報メモを説明する図である。
【図７】本発明の実施形態に係るデジタル写真管理システムによる写真撮影時の処理を示すフローチャートである。
【図８】写真撮影時のカメラ付携帯電話接続画面イメージを示す図である。
【図９】写真撮影時の情報メモ登録画面イメージを示す図である。
【図１０】本発明の実施形態に係るデジタル写真管理システムによるデータ保存時の処理を示すフローチャートである。
【図１１】データ保存時のバーコード作成プログラム起動画面イメージを示す図である。
【図１２】本発明の実施形態に係るデジタル写真管理システムによるデータ検索時の処理を示すフローチャートである。
【図１３】データ検索時のバーコード解凍プログラム起動画面イメージを示す図である。
【図１４】データ検索時の検索画面イメージを示す図である。
【図１５】データ検索時の検索結果画面イメージを示す図である。
【符号の説明】
【００６５】
１１  デジタルカメラ
１１０  撮像部
１１１  表示部
１１２  操作部
１１３  データ格納部
１１５  通信インターフェース
１１６  制御部
１１６ａ  ＣＰＵ
１１６ｂ  メモリ
１１６ｃ  制御プログラム
１２  カメラ付き携帯電話
１２０  無線通信部
１２０ａ  通信アンテナ
１２２  表示部
１２３  音声入出力部
１２４  音声処理部
１２６  操作部
１２７  通信インターフェース
１２８  制御部
１２８ａ  ＣＰＵ
１２８ｂ  メモリ
１２８ｃ  制御プログラム
１３  パソコン
１３０  データ入出力部
１３１  バーコード作成部
１３１ａ  バーコード作成プログラム
１３２  データ格納部
１３３  印刷処理部
１３４  バーコード解凍部
１３４ａ  バーコード解凍プログラム
１３５  データ格納部
１３５ａ  データ格納プログラム
１３６  制御部
１３６ａ  ＣＰＵ
１３６ｂ  メモリ
１３６ｃ  制御プログラム
１４  プリンタ
１５  写真
１５０  写真画像
１５１  情報メモ
１５２  バーコード
【図１】
2006079333.tif 000003
【図２】
2006079333.tif 000004
【図３】
2006079333.tif 000005
【図４】
2006079333.tif 000006
【図５】
2006079333.tif 000007
【図６】
2006079333.tif 000008
【図７】
2006079333.tif 000009
【図８】
2006079333.tif 000010
【図９】
2006079333.tif 000011
【図１０】
2006079333.tif 000012
【図１１】
2006079333.tif 000013
【図１２】
2006079333.tif 000014
【図１３】
2006079333.tif 000015
【図１４】
2006079333.tif 000016
【図１５】
2006079333.tif 000017